(57)【要約】【課題】ユーザのプライバシー権を守ることが可能な電子機器を提供すること。【解決手段】  表示部と、被写体を撮像可能なカメラ部と、顔の視線を検出する視線検出部と、表示部とカメラ部とを有する第１の筐体と、第２の筐体と、第１の筐体と第２の筐体とを開閉可能に接続し、第１の軸を中心にして第１の筐体と第２の筐体とを相互に開閉可能とするとともに、第１の軸に対し直交する第２の軸を中心にして第１及び第２の筐体を相互に回動自在とするヒンジ部と、第２の軸を回転させることが可能なモータ部と、視線検出部が視線を検出した場合、検出された視線が表示部を向いているか否かを判断し、検出された視線が表示部を向いているとき、第１の筐体を、第２の軸を中心として、モータ部によって、表示部の表示面に垂直な方向と、視線方向とが一致しない方向に、第１筐体を回転させる制御部と、を備えることを特徴とする電子機器を提供する。【選択図】図７
2011010062.tif 000002
【特許請求の範囲】
【請求項１】
画像を表示する表示部と、
撮像方向が前記表示部の表示方向となるほうに配置されるカメラ部と、
登録された虹彩模様を記憶する記憶部と、
前記カメラ部が撮影した被写体が人間の顔であるか否かを認識し、前記被写体が顔であった場合、当該顔の虹彩模様に基づき視線を検出する視線検出部と、
前記表示部と前記カメラ部とを有する第１の筐体と、
第２の筐体と、
前記第１の筐体と前記第２の筐体とを開閉可能に接続し、第１の軸を中心にして前記第１の筐体と前記第２の筐体とを相互に開閉可能とするとともに、前記第１の軸に対し直交する第２の軸を中心にして前記第１及び第２の筐体を相互に回動自在とするヒンジ部と、
前記第２の軸を中心に前記第２の筐体を回転させることが可能なモータ部と、
前記視線検出部が前記記憶部に記憶されている虹彩模様とは異なる虹彩模様に基づいた視線を検出した場合、前記検出された視線が前記表示部を向いているか否かを判断し、前記検出された視線が前記表示部を向いているとき、前記第１の筐体を、前記第２の軸を中心として、前記モータ部によって、前記表示部の表示方向と、前記視線方向とが一致しない方向に、前記第１筐体を回転させる制御部と、
を備えることを特徴とする電子機器。
【請求項２】
前記カメラ部は、当該カメラ部の光軸が前記第２の軸と直交する
ことを特徴とする請求項１に記載の電子機器。
【請求項３】
報知部を更に備え、
前記制御部は、前記所定の制御として、当該表示部に視線が向いていることを前記報知部に報知させる
ことを特徴とする電子機器。
【発明の詳細な説明】
【技術分野】
【０００１】
本発明は、表示部を備える電子機器に関する。
【背景技術】
【０００２】
近年、市場に流通している携帯電話機は、通話機能のみではなく、メール機能やインターネット機能を搭載している（例えば特許文献１）。
【先行技術文献】
【特許文献】
【０００３】
【特許文献１】特開２００２−２６１９１８公報
【発明の概要】
【発明が解決しようとする課題】
【０００４】
しかしながら、たとえば電車内などの人の多い場所にて携帯電話機を使用している場合、表示部に表示されている表示内容が他人に覗き見されてしまう虞があった。
【０００５】
本発明の目的は、他人に覗き見されない電子機器を提供することである。
【課題を解決するための手段】
【０００６】
本願発明にかかる電子機器は、画像を表示する表示部と、前記表示部の画像が表示される方向の被写体を撮像可能なカメラ部と、前記カメラ部が撮影した被写体が人間の顔であるか否かを認識し、前記被写体が顔であった場合、当該顔の視線を検出する視線検出部と、前記表示部と前記カメラ部とを有する第１の筐体と、第２の筐体と、前記第１の筐体と前記第２の筐体とを開閉可能に接続し、第１の軸を中心にして前記第１の筐体と前記第２の筐体とを相互に開閉可能とするとともに、前記第１の軸に対し直交する第２の軸を中心にして前記第１及び第２の筐体を相互に回動自在とするヒンジ部と、前記第２の軸を回転させることが可能なモータ部と、前記視線検出部が視線を検出した場合、前記検出された視線が前記表示部を向いているか否かを判断し、前記検出された視線が前記表示部を向いているとき、前記第１の筐体を、前記第２の軸を中心として、前記モータ部によって、前記表示部の表示面に垂直な方向と、前記視線方向とが一致しない方向に、前記第１筐体を回転させる制御部と、を備えることを特徴とする。
【０００７】
また、さらに好適には、前記カメラ部は、当該カメラ部の光軸が前記第２の軸と直交することを特徴とする。
【０００８】
また、さらに好適には、報知部を更に備え、前記制御部は、前記所定の制御として、当該表示部に視線が向いていることを前記報知部に報知させることを特徴とする。
【発明の効果】
【０００９】
本発明は、表示部の表示内容を第３者に閲覧されることを抑制することが可能な電子機器を提供することが可能となる。
【図面の簡単な説明】
【００１０】
【図１】本発明の一実施形態の携帯電話機１を開いた状態（第１開状態）の斜視図である。
【図２】本発明の一実施形態の携帯電話機１について、表示部側筐体３を、ヒンジ部４の回動軸Ｙを中心にして所定角度回動した状態の斜視図である。
【図３】本発明の一実施形態の携帯電話機１について、表示部側筐体３を、ヒンジ部４の回動軸Ｙを中心にして１８０°回動した状態（ターン状態、第２開状態）の斜視図である。
【図４】本発明の一実施形態の携帯電話機１について、操作部側筐体２と表示部側筐体３とを、ヒンジ部４の開閉軸Ｘを中心に閉回転し、閉じた状態（第１閉状態）の平面図である。
【図５】本発明の一実施形態の携帯電話機１について、仮想的に、ヒンジケース４１を外し、操作部側筐体２と表示部側筐体３とを分離した状態を示す斜視図である。
【図６】本発明の一実施形態の携帯電話機１における、主要なブロック図である。
【図７】本発明の一実施形態の携帯電話機１における、制御部１００と視線検出部１０１の制御の手順を示したフローチャートである。
【図８】本発明の一実施形態の携帯電話機１における、ディスプレイ３０の表示の一例を示した図である。
【図９】本発明の一実施形態の携帯電話機１における、表示部側筐体３の動きの一例を示した図である。
【発明を実施するための形態】
【００１１】
以下、本発明を実施するための最良の形態について、図面を参照しながら説明する。本実施形態は、本発明の電子機器を携帯電話機に適用したものである。まず、本実施形態の携帯電話機１における基本構造について、図１から図５を参照しながら説明する。
【００１２】
図１は、本実施形態の携帯電話機１を開いた状態（第１開状態）の斜視図である。図２は、本実施形態の携帯電話機１について、表示部側筐体３（第１の筐体）を、ヒンジ部４の回動軸Ｙ（第２の軸）を中心にして所定角度回動した状態の斜視図である。図３は、本実施形態の携帯電話機１について、表示部側筐体３を、ヒンジ部４の回動軸Ｙを中心にして１８０°回動した状態（ターン状態、第２開状態）の斜視図である。図４は、本実施形態の携帯電話機１について、操作部側筐体２（第２の筐体）と表示部側筐体３とを、ヒンジ部４の開閉軸Ｘ（第１の軸）を中心に閉回転し、閉じた状態（第１閉状態）の平面図である。図５は、本実施形態の携帯電話機１について、仮想的に、ヒンジケース４１を外し、操作部側筐体２と表示部側筐体３とを分離した状態を示す斜視図である。
【００１３】
携帯電話機１は、図１から図５に示すように、表示部側筐体３及び操作部側筐体２を備える。操作部側筐体２と表示部側筐体３とは２軸ヒンジ機構を備えるヒンジ部４を介して連結されており、携帯電話機１を開状態及び閉状態に変形可能とすると共に、開状態及び閉状態それぞれにおいて表示部側筐体３を表状態と裏状態とに切り替えることができる。
【００１４】
即ち、ヒンジ部４は、操作部側筐体２と表示部側筐体３とを、開閉軸Ｘを中心に任意の角度で開閉可能に連結すると共に、回動軸Ｙを中心に任意の角度で回動可能に連結する２軸ヒンジ機構を備えている。回動軸Ｙは、開閉軸Ｘに対して常に直交している。
【００１５】
ここで、閉状態とは、両筐体２，３が互いに重なるように配置された状態であり、開状態とは、両筐体２，３が互いに重ならないように配置された状態をいう。そして、開状態における表状態（第１開状態ともいう）とは、表示部側筐体３の表面３Ａに配置されるディスプレイ３０と、操作部側筐体２の表面２Ａに配置される操作キー群１１とが同じ側を向くように配置された状態（図１参照）をいう。開状態における裏状態（第２開状態ともいう）とは、表示部側筐体３におけるディスプレイ３０と操作部側筐体２における操作キー群１１とが反対側を向くように配置された状態（図３参照）をいう。
【００１６】
閉状態における表状態（第１閉状態ともいう）とは、表示部側筐体３におけるディスプレイ３０が操作部側筐体２における操作キー群１１に対向するように配置された状態（図４参照）をいう。閉状態における裏状態（第２閉状態ともいう）とは、表示部側筐体３におけるディスプレイ３０が操作部側筐体２における操作キー群１１と対向せずに表出した状態（図示せず）をいう。
【００１７】
操作部側筐体２の外面は、フロントケース２ａ及びリアケース２ｂを主体として構成されている。操作部側筐体２は、そのフロントケース２ａ側に、操作キー群１１と、携帯電話機１の使用者が通話時に発した音声が入力される音声入力部１２とが、それぞれ露出して構成されている。
【００１８】
ここで、操作キー群１１は、各種設定、電話帳機能、メール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５とから構成されている。
【００１９】
音声入力部１２は、操作部側筐体２の表面２Ａ側の先端部（ヒンジ部４とは反対側の端部）近傍に配置されている。
【００２０】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１においては、操作キー群１１を構成する各キーが使用者により押圧されることで、各キーに割り当てられている機能に応じた動作が実行される。
【００２１】
操作部側筐体２の側面には、例えば、外部機器（例えば、ホスト装置）とデータの送受信を行うためのインターフェース、ヘッドホン／マイク端子、着脱可能な外部メモリのインターフェース、バッテリを充電するための充電端子が設けられている。
【００２２】
そして、後述するように、主回路基板７０、シールドケース６０、キー基板５０及びキー構造部４０が操作部側筐体２内に配されている。
【００２３】
表示部側筐体３の外面は、フロントケース３ａ及びリアケース３ｂを主体として構成されている。フロントケース３ａには、各種情報を表示するための所定形状のディスプレイ３０（表示部、報知部）と、通話の相手側における音声を出力する音声出力部３１とが露出して配置されている。音声出力部３１は、表示部側筐体３の表面３Ａの先端部（ヒンジ部４とは反対側の端部）近傍に配置されている。
【００２４】
また、表示部側筐体３は、フロントケース３ａの外面上の音声出力部３１に隣接する位置にカメラ部３５を備えている。カメラ部３５は、その撮像方向がディスプレイ３０が表示を行う方向とほぼ同じ方向となるように、表示部側筐体３に配されている。
【００２５】
表示部側筐体３のリアケース３ｂには、各種情報を表示するためのサブディスプレイ３２が露出して配置されている。ディスプレイ３０及びサブディスプレイ３２は、液晶パネル、該液晶パネルを駆動する駆動回路、該液晶パネルの背面側から光を照射するバックライト等の光源部などから構成されている。
【００２６】
また、ヒンジ部４は、回動軸Ｙを回転させるためのモータ（図示せず）を備えている。モータ３６は、回動軸Ｙを中心として、表示部側筐体３を時計回りまたは反時計回りに回転させる。また、モータ３６は、制御部１００によって、制御されて表示部側筐体３の回転を行う。
【００２７】
図６は、携帯電話機１の主たるデバイスの構成を示したブロック図である。
【００２８】
通信処理部７５は、操作部側筐体２の内部に備えられている。また、通信処理部７５は、高周波回路を含んで構成されている。通信処理部７５は、電波を利用した無線通信により、通信システム（電話網やインターネット）を介した他の携帯端末装置やサーバとの通信を行うために、制御部１００で処理された音響データ、画像データ等の各種データを変調する。そして、通信処理部７５は、信号線を介してアンテナ８１へ当該変調されたデータ送る。次に、通信処理部７５は、アンテナ８１へ当該データを送信させる。また、受信の際には、通信処理部７５は、アンテナ８１を介して受信した信号を復調して制御部１００に出力する。
【００２９】
ディスプレイ３０は、多数の画素（複数色の発光素子の組み合わせ）を縦横に配して構成される、例えば液晶ディスプレイ（ＬＣＤ）や有機ＥＬディスプレイ（ＯＬＥＤ）を用いて構成されており、制御部１００から供給される映像信号に応じた画像を表示する。ディスプレイ３０は、例えば、通信処理部７５による無線発呼時における発呼先の電話番号、着信時における発呼元の電話番号、受信メールや送信メールの内容、日付、時刻、電池残量、発呼成否、待ち受け画面等を表示する。
【００３０】
カメラ部３５は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の光電変換素子とその制御回路等により構成される撮像手段である。カメラ部３５は、操作者側を撮影するためのカメラである。カメラ部３５は、筐体を操作する状態（すなわち開状態として、操作者が筐体を手に取り、表示部３に視線を向けた姿勢）において、操作者の顔に向けて光軸が設定される状態で、筐体に取り付けられており、例えばテレビ電話等に用いられる。
【００３１】
また、カメラ部３５は、その光軸が回動軸Ｙと垂直になるように配される。
【００３２】
記憶部３８は、例えばアドレス帳を記憶している。当該アドレス帳には、電話番号や、携帯電話機のユーザの氏名やユーザの顔画像、そして当該顔画像から抽出された虹彩模様が記憶されている。
【００３３】
視線検出部１０１は、カメラ部３５から得られた画像データを抽出する。そして、視線検出部１０１は、カメラ部３５を起動して、ディスプレイ３０を見ている操作者とその周辺の光景を検出する。そして、視線検出部１０１は、撮像した画像に顔画像があるか否かを解析する。カメラ部３５が撮像した画像内に顔画像があれば、視線検出部１０１は、当該顔画像から目の虹彩模様を検出し、さらに当該虹彩模様の動きに基づいて視線の方向を検出する。
【００３４】
また、視線検出部１０１は、記憶部３８に記憶されている顔画像に基づく虹彩模様と、カメラ部３５が撮像した虹彩模様とを照合することが可能である。
【００３５】
また、視線検出部１０１は、カメラ部３５が撮像した虹彩模様の動きに基づいて、当該虹彩模様を有する目が、ディスプレイ３０に表示されている内容を見ているかどうかを推測することが出来る。具体的には、視線検出部１０１は、カメラ部３５によって撮像された虹彩模様の動きが、たとえば縦方向に動くかまたは横方向に動くかを検出する。同時に、視線検出部１０１は、ディスプレイ３０に表示されている内容が縦書きであるか横書きであるかを検出する。カメラ部３５によって撮像された虹彩模様の動きと、ディスプレイ３０に表示されている内容の方向とが一致した場合、視線検出部１０１は、カメラ部３５が撮像した虹彩模様を有する目が、ディスプレイ３０が表示している内容を見ていると判断する。
【００３６】
図７は、制御部１００及び視線検出部１０１の制御を表したフローチャートである。
最初、制御部１００は、カメラ部３５を起動してディスプレイ３０の画像が表示されている方向（ユーザのいる方向）の画像の撮像を開始する（Ｓ１）。
【００３７】
視線検出部１０１は、カメラ部３５が撮像した画像内に顔画像があるか否かを判定し、顔画像が撮像範囲内にあることを検出したら、当該顔画像の虹彩模様と、記憶部３８に記憶されているユーザの虹彩模様の画像とを照合する（Ｓ２）。
【００３８】
ステップＳ２における照合の結果、カメラ部３５によって撮像された顔の虹彩模様がユーザの虹彩模様の画像と一致した場合、制御部１００と視線検出部１０１は、処理を終了する（Ｓ３／Ｙｅｓ）。ステップＳ２における照合の結果、カメラ部３５によって撮像された顔の虹彩模様とユーザの虹彩模様の画像とが異なる場合、視線検出部１０１は、撮像された虹彩の動きを解析する（Ｓ３／Ｎｏ、Ｓ４）。
【００３９】
視線検出部１０１が虹彩の動きを解析した結果、撮像された虹彩の動きがディスプレイ３０に表示されている画面の内容を見ている動きとなっている場合、制御部１００は、ディスプレイ３０（報知部）に覗き見されている旨を示す（Ｓ５／Ｙｅｓ）。
【００４０】
制御部１００は、例えば図８に示されているように、ディスプレイ３０に覗き見されていることを警告する警告文を表示する（Ｓ６）。なお、視線検出部１０１が虹彩の動きを解析した結果、撮像された虹彩の動きがディスプレイ３０に表示されている画面の内容を追いかける動きとなっていない場合は、制御部１００および視線検出部１０１は処理を終了する（Ｓ５／Ｎｏ）。
【００４１】
ディスプレイ３０に警告文を表示した後、制御部１００は、覗き見を防止する為の回避方法を実施する（Ｓ７）。この回避方法とは、制御部１００が、モータ３６を制御することにより、回動軸Ｙを中心に表示部側筐体３を回転させることにより実現される。制御部１００による具体的な制御を、図９をもとに説明する。視線検出部１０１が、図９の紙面右側からの覗き見を検出すると、制御部１００は、モータ３６を駆動して表示部側筐体３を方向αの方向へ回転させる。また、逆に、視線検出部１０１が、図９の紙面左側からの覗き見を検出すると、制御部１００は、モータ３６を駆動して表示部側筐体３を方向βの方向へ回転させる。
【００４２】
このように、覗き見されている方向とは逆の方向へ表示部側筐体３を回転させることにより、覗き見している人は、表示部側筐体３のディスプレイ３０の内容を覗き見することが出来なくなる。
【００４３】
なお、制御部１００が、モータ３６によって表示部側筐体３を回転させる最中、視線検出部１０１は、カメラ部３５が新たに他人の虹彩を撮像するか否かを監視するようにしてもよい。この場合、もしカメラ部３５が新たに他人の虹彩を撮像したならば、制御部１００は、モータ３６による表示部側筐体３の回転を逆にし、新たに検出した他人の虹彩が撮像されないようにする。
【００４４】
たとえば、図９の紙面右側からの覗き見を検出し、制御部１００がモータ３６を駆動して表示部側筐体３を方向αの方向へ回転させている最中、カメラ部３６が新たに他人の虹彩を撮像した場合、制御部１００は、モータ３６を逆回転させ、表示部側筐体３をβ方向に回転させる。このβ方向への逆回転は、新たに撮像された他人の虹彩の模様がカメラ部３５によって検出されなくなるまで行われる。
【００４５】
この構成によって、ある人間による覗き見を回避する為の表示部側筐体３の回転によって、新たに別の人間に覗き見されてしまうことを防ぐことが可能となる。
【００４６】
また、図８に示したような警告をユーザに対して報知することにより、携帯電話機１は、他人からディスプレイ３０の表示内容を覗き見されないように、ユーザに対して、たとえば携帯電話機１を閉状態とするなどの行動を喚起することが可能となる。
【００４７】
なお、図８において示した実施形態においては、ディスプレイ３０にてユーザに報知を行っているものの、たとえば音声による報知で警告を行っても良い。
【００４８】
本発明は、携帯電話機以外の携帯無線装置、例えば、ＰＨＳ（登録商標：Ｐｅｒｓｏｎａｌ  Ｈａｎｄｙ  ｐｈｏｎｅ  Ｓｙｓｔｅｍ）、無線機、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコンに適用可能である。
【符号の説明】
【００４９】
２ａ  フロントケース
２ｂ  リアケース
１３ａ、１４ａ、１５ａ  キー孔
３０  ディスプレイ
３５  カメラ部
３６  モータ（モータ部）
３８  記憶部
７５  通信処理部
８１  アンテナ
１００  制御部
１０１  視線検出部
４０  キー構造部
【図１】
2011010062.tif 000003
【図２】
2011010062.tif 000004
【図３】
2011010062.tif 000005
【図４】
2011010062.tif 000006
【図５】
2011010062.tif 000007
【図６】
2011010062.tif 000008
【図７】
2011010062.tif 000009
【図８】
2011010062.tif 000010
【図９】
2011010062.tif 000011